【手続補正書】
【提出日】平成25年6月20日(2013.6.20)
【手続補正１】
【補正対象書類名】特許請求の範囲
【補正対象項目名】全文
【補正方法】変更
【補正の内容】
【特許請求の範囲】
【請求項１】
少なくとも一つの第一の電磁放射がそこを通って伝搬するように構造化された、第一のコア及び少なくとも一つの第一のクラッドを含む第一のマルチクラッドファイバ構造、
少なくとも一つの第二の電磁放射がそこを通って伝搬するように構造化された、第二のコア及び少なくとも一つの第二のクラッドを含む第二のマルチクラッドファイバ構造、及び
そこで第一及び第二のクラッドが互いに融着される少なくとも一つの部分、
を含む製品。
【請求項２】
第一及び第二のコアが、前記少なくとも一つの部分内において互いに離れている、請求項１に記載の製品。
【請求項３】
前記少なくとも一つの部分内の第一及び第二のコア間の分離が、前記少なくとも一つの第一の電磁放射又は前記少なくとも一つの第二の電磁放射の少なくとも一つの波長より大きい、請求項２に記載の製品。
【請求項４】
前記少なくとも一つの部分内の第一及び第二のコア間のコアモード結合係数が、約１０％未満である、請求項２または３に記載の製品。
【請求項５】
前記少なくとも一つの部分内の第一及び第二のコア間のコアモード結合係数が、約１％未満である、請求項４に記載の製品。
【請求項６】
前記少なくとも一つの部分内の第一及び第二のコア間のコアモード結合係数が、約０．１％未満である、請求項５に記載の製品。
【請求項７】
前記少なくとも一つの部分内の第一及び第二のクラッド間のクラッドモード結合係数が、約１０〜９０％である、請求項１〜６のいずれかひとつに記載の製品。
【請求項８】
前記少なくとも一つの部分内の第一及び第二のクラッド間のクラッドモード結合係数が、約４０〜６０％である、請求項７に記載の製品。
【請求項９】
前記少なくとも一つの部分内の第一及び第二のクラッド間のクラッドモード結合係数が、およそ５０％である、請求項８に記載の製品。
【請求項１０】
前記第一及び第二のクラッドファイバ構造が、ダブルクラッドファイバ構造である、請求項１〜９のいずれかひとつに記載の製品。
【請求項１１】
前記第一及び第二のマルチクラッドファイバ構造の光学特性が実質的に同一である、請求項１〜１０のいずれかひとつに記載の製品。
【請求項１２】
さらに、前記少なくとも一つの第一のマルチクラッドファイバ構造及び前記少なくとも一つの第二のマルチクラッドファイバ構造のうちの少なくとも一つに結合している少なくとも一つのシングルモードファイバ構造（ここで、該少なくとも一つのシングルモードファイバ構造は、そこを通る電磁放射の伝搬を妨げるように構造化された少なくとも一つの第三のクラッドを含む）、
を含む、請求項１〜１１のいずれかひとつに記載の製品。
【請求項１３】
請求項１〜１２のいずれかひとつに記載の製品であって、
前記第一のマルチクラッドファイバ構造は、前記少なくとも一つの第一の電磁放射が通過した後、前記少なくとも一つの第一の電磁放射と関連する、試料からの少なくとも一つの第三の電磁放射を受け取り、そして少なくとも一つの第三の電磁放射をコア及び少なくとも一つの第一のクラッドを介して伝搬する、及び
前記第一のマルチクラッドファイバ構造の少なくとも一つの第一のクラッドに沿って伝わる少なくとも一つの第三の電磁放射は、前記少なくとも一つの部分において、少なくとも変更又は分割され、少なくとも一つの第四の電磁放射が前記第二のマルチクラッドファイバ構造の少なくとも一つの第二のクラッドに沿って伝搬する、
ことを特徴とする製品。
【請求項１４】
さらに、前記少なくとも一つの第四の電磁放射を検出するために構成された第三の構造を含む、請求項１３に記載の製品。
【請求項１５】
前記少なくとも一つの第三の電磁放射が、蛍光放射又は散乱光である、請求項１３または１４に記載の製品。
【請求項１６】
少なくとも一つの第一の電磁放射を提供するために構成された第一の構造、及び
少なくとも２つのマルチクラッドファイバ構造を含む第二の構造（ここで、少なくとも２つのマルチクラッドファイバ構造のうちの少なくとも一つは、第一の構造からの少なくとも一つの第一の電磁放射を受け、かつ少なくとも一つの第一の電磁放射を試料に出射し、そして少なくとも２つのマルチクラッドファイバ構造の各々は、少なくとも一つの第一の電磁放射がそこを通って伝搬するように構造化されたコア及び少なくとも一つのクラッドを含み、第二の構造はさらに、少なくとも２つのマルチクラッドファイバ構造のクラッドの少なくとも一つがお互いに融着する少なくとも一つの部分を含む）、
を含むシステム、
ここで、マルチクラッドファイバ構造の少なくとも最初の一つは、少なくとも一つの第一の電磁放射と関連した、試料からの少なくとも一つの第二の電磁放射を受け、かつそのコア及びクラッドを介して少なくとも一つの第二の電磁放射を伝搬する、及び
ここで、マルチクラッドファイバ構造の少なくとも最初の一つのファイバ構造のクラッドに沿って伝わる少なくとも一つの第二の電磁放射は、前記少なくとも一つの部分において、少なくとも変更又は分割され、少なくとも一つの第三の電磁放射が、第二のマルチクラッドファイバ構造の少なくとも次の一つのクラッドに沿って伝搬する。
【請求項１７】
さらに、前記少なくとも一つの第三の電磁放射を検出するために構成された第三の構造を含む請求項１６に記載のシステム。
【請求項１８】
前記少なくとも一つの第二の電磁放射が、蛍光放射又は散乱光である請求項１６または１７に記載のシステム。
【請求項１９】
前記マルチクラッドファイバ構造のコアが、前記少なくとも一つの部分内で互いに分離されている、請求項１６〜１８のいずれかひとつに記載のシステム。
【請求項２０】
前記少なくとも一つの部分内の前記マルチクラッドファイバ構造のコアが、前記少なくとも一つの第一の電磁放射又は前記少なくとも一つの第二の電磁放射の少なくとも一つの波長より大きい、請求項１６〜１９のいずれかひとつに記載のシステム。
【請求項２１】
前記少なくとも一つの部分内のマルチクラッドファイバ構造のコア間のコアモード結合係数が、約１０％未満である、請求項１６〜２０のいずれかひとつに記載のシステム。
【請求項２２】
前記少なくとも一つの部分内のマルチクラッドファイバ構造のコア間のコアモード結合係数が、約１％未満である、請求項２１に記載のシステム。
【請求項２３】
前記少なくとも一つの部分内のマルチクラッドファイバ構造のコア間のコアモード結合係数が、約０．１％未満である、請求項２２に記載のシステム。
【請求項２４】
前記少なくとも一つの部分内のマルチクラッドファイバ構造のクラッド間のクラッドモード結合係数が、約１０〜９０％である、請求項１６〜２３のいずれかひとつに記載のシステム。
【請求項２５】
前記少なくとも一つの部分内のマルチクラッドファイバ構造のクラッド間のクラッドモード結合係数が、約４０〜６０％である、請求項２４に記載のシステム。
【請求項２６】
前記少なくとも一つの部分内のマルチクラッドファイバ構造のクラッド間のクラッドモード結合係数が、約５０％である、請求項２５に記載のシステム。
【請求項２７】
前記マルチクラッドファイバ構造がダブルクラッドファイバ構造である、請求項１６〜２６のいずれかひとつに記載のシステム。
【請求項２８】
前記マルチクラッドファイバ構造の各々の光学特性が実質的に同一である、請求項１６〜２７のいずれかひとつに記載のシステム。
【請求項２９】
さらに、前記マルチクラッドファイバ構造の少なくとも一つに結合した少なくとも一つのシングルモードファイバ構造を含む請求項１６〜２８のいずれかひとつに記載のシステム（ここで、少なくとも一つのシングルモードファイバ構造は、そこを通しての少なくとも一つの第一の電磁放射又は少なくとも一つの第二の電磁放射の少なくとも一つの伝搬を妨げるように構造化された、少なくとも一つのさらなるクラッドを含む）。
【請求項３０】
第一の構造を用いて少なくとも一つの第一の電磁放射を提供すること、
第一の構造からの少なくとも一つの第一の電磁放射を受け、かつ、第二の構造の少なくとも２つのマルチクラッドファイバ構造の少なくとも一つを用いて試料に少なくとも一つの第一の電磁放射を出射すること（ここで、マルチクラッドファイバ構造の各々は、そこを通じて少なくとも一つの第一の電磁放射が伝搬するように構造化されたコア及び少なくとも一つのクラッドを含み、第二の構造はさらに、そこで少なくとも２つのマルチクラッドファイバ構造のクラッドの少なくとも一つが互いに融着する少なくとも一つの部分を含む）、
少なくとも最初の一つのマルチクラッドファイバ構造を用い、少なくとも一つの第一の電磁放射と関連した試料からの少なくとも一つの第二の電磁放射を受けること、及びそのコア及びクラッドを介して少なくとも一つの第二の電磁放射を伝搬すること、及び
少なくとも最初の一つのマルチクラッドファイバ構造のクラッドに沿って伝わる少なくとも一つの第二の電磁放射を、少なくとも一つの部分において、少なくとも変更又は分割し、少なくとも次の一つのマルチクラッドファイバ構造のクラッドに沿って少なくとも一つの第三の電磁放射を伝搬すること、
を含む方法。